(57)【特許請求の範囲】
【請求項１】
固定接点部と可動接点部とから構成する接点ユニットを収納するスイッチケースと、前記両接点部の開閉操作を行う操作部を有して前記スイッチケースに着脱自在に装着される操作部ケースと、前記スイッチケースに、前記操作部ケースを装着した際に付勢力が付与されるように取り付けられる受圧部材とを有して構成し、前記受圧部材は、前記スイッチケース内において互いに離間した状態で一対設けられており、且つ、前記両受圧部材には、前記一対の固定接点部が前記操作部ケースを前記スイッチケースに装着した際に前記各固定接点部に対応して一対設けられた前記可動接点部にそれぞれ接触できるように連結されていると共に、前記両受圧部材の間に、前記付勢力に抗して押込可能にプランジャを配置し、該プランジャに前記両可動接点部を取り付けて構成し、前記操作部ケースをスイッチケースに装着させた状態で、前記プランジャを押込むことにより、前記各可動接点部と前記各固定接点部とをそれぞれ互いに開離させるように設けると共に、前記プランジャの押込を解除することによって前記各可動接点部と前記各固定接点部とをそれぞれ互いに閉成するように構成しており、前記スイッチケースから前記操作部ケースが離脱した際に、前記受圧部材の付勢力によって前記各固定接点部を前記各可動接点部からそれぞれ開離させるように構成したことを特徴とする安全スイッチ。
【請求項２】
前記両受圧部材はそれぞれ前記スイッチケースに揺動自在に取り付けられると共に、前記各受圧部材には前記スイッチケース内において起立設置された弾性片をそれぞれ連結することによって前記付勢力が付与されており、且つ、前記各弾性片に前記各固定接点部をそれぞれ取り付けたことを特徴とする請求項１記載の安全スイッチ。
【請求項３】
前記両受圧部材における前記操作部ケースからの各受圧面は、前記スイッチケースの中央部に向かって上方に傾斜する傾斜面に形成されていることを特徴とする請求項１または２記載の安全スイッチ。
【発明の詳細な説明】
【０００１】
【発明が属する技術分野】
本発明は、固定接点部および可動接点部から構成する接点ユニットが収納されたスイッチケースと、接点ユニット開閉用の操作部が収納された操作部ケースとが別体に形成されたスイッチ、特に、操作部ケースが故障等に起因してスイッチケースから離脱した場合に、接点が開いてスイッチがオフとなる安全スイッチに関する。
【０００２】
【従来の技術】
従来のスイッチとして、次のようなものが知られている。すなわち、
固定接点部と可動接点部とからなる接点ユニットが収納された筐体と、この筐体に着脱自在で、かつ、接点ユニットを開閉可能な操作部とを有し、筐体内には、筐体頂壁から先端部を突出させてロッドが摺動自在に収納され、かつ、筐体内に設けたバネでロッドを筐体頂壁から突出する方向に付勢すると共に、このロッドに可動接点部を取り付けている。
【０００３】
一方、固定接点部は固定片を介して筐体に固定されている。この固定接点部には可動接点部が常時接触していて、スイッチは常時オンの状態にある。スイッチをオフにするためには、操作部の操作により、ロッドを押し込んで可動接点部を固定接点部から下方へ離間させればよい。
【０００４】
【発明が解決しようとする課題】
上記のような従来例では、ロッドを押し込まない限りスイッチは常時オンであり、従って、故障のためロッド操作用の操作部が筐体から脱落したり、あるいはスイッチ交換時に操作部が筐体から取り外されたりした場合には、ロッドを押し込むことは不可能であるため、装置等は可動状態を保持する。このため、緊急時に装置等を非常停止させようとしてもできないおそれがあった。
【０００５】
本発明は、上記問題点に鑑みてなされたもので、操作部ケースがスイッチケースから離脱した場合には、常に、スイッチがオフとなるようにすることで安全確保が可能な安全スイッチを提供することを目的とする。
【０００６】
【課題を解決するための手段】
上記目的を達成するため、本発明は、固定接点部と可動接点部とから構成する接点ユニットを収納するスイッチケースと、前記両接点部の開閉操作を行う操作部を有して前記スイッチケースに着脱自在に装着される操作部ケースと、前記スイッチケースに、前記操作部ケースを装着した際に付勢力が付与されるように取り付けられる受圧部材とを有して構成し、前記受圧部材は、前記スイッチケース内において互いに離間した状態で一対設けられており、且つ、前記両受圧部材には、前記一対の固定接点部が前記操作部ケースを前記スイッチケースに装着した際に前記各固定接点部に対応して一対設けられた前記可動接点部にそれぞれ接触できるように連結されていると共に、前記両受圧部材の間に、前記付勢力に抗して押込可能にプランジャを配置し、該プランジャに前記両可動接点部を取り付けて構成し、前記操作部ケースをスイッチケースに装着させた状態で、前記プランジャを押込むことにより、前記各可動接点部と前記各固定接点部とをそれぞれ互いに開離させるように設けると共に、前記プランジャの押込を解除することによって前記各可動接点部と前記各固定接点部とをそれぞれ互いに閉成するように構成しており、前記スイッチケースから前記操作部ケースが離脱した際に、前記受圧部材の付勢力によって前記各固定接点部を前記各可動接点部からそれぞれ開離させるように構成したことを特徴とする。
【０００７】
従って、本発明は、故障により操作部ケースがスイッチケースから脱落したり、あるいは、スイッチ交換の際に、操作部ケースがスイッチケースから取り外されたりして、操作部ケースがスイッチケースから離脱した場合には、常に、受圧部材が固定接点部を可動接点部から離間させる方向に変位してスイッチをオフさせるため、作業者等の安全を確保することができる。
【０００８】
また、本発明は、一対の接点ユニットが設けられているため、信頼性において優れている。
【０００９】
さらに、本発明は、プランジャの押込および押込解除だけでスイッチのオン−オフが可能であり、よって構成の簡素化が図れる。
【００１０】
また、本発明は前記両受圧部材がそれぞれ前記スイッチケースに揺動自在に取り付けられると共に、前記各受圧部材には前記スイッチケース内において起立設置された弾性片をそれぞれ連結することによって前記付勢力が付与されており、且つ、前記各弾性片に前記各固定接点部をそれぞれ取り付けることが考えられる。
【００１１】
従って、本発明は、受圧部材を揺動自在に軸支させるため、受圧部材の変位が円滑かつ確実に行なわれる。また、固定接点部を支持する弾性片が、受圧部材付勢用の手段を兼用するため、部品点数の低減化が図れる。
【００１２】
さらに、本発明は、前記両受圧部材における前記操作部ケースからの各受圧面を、前記スイッチケースの中央部に向かって上方に傾斜する傾斜面に形成することが考えられる。
【００１３】
従って、本発明は、受圧部材の受圧面は傾斜面に形成されているため、操作部ケースの装着時、操作部ケースと受圧部材とは平坦面で接触することになり、よって、操作部ケースの安定性が保持される。
【００１５】
【発明の実施の形態】
以下、本発明に係る安全スイッチの実施形態を、図面を参照しながら説明する。
【００１６】
図１に示すように、安全スイッチ１は、接点２が収納されたスイッチケース３と、このスイッチケース３に、スイッチマウント３０を介して着脱自在に装着される接点開閉用の操作部ケース４０とを有する。
【００１７】
まず、スイッチケース３について説明する。図２はスイッチケース３の外観を示し、図３はスイッチケース３の縦断面を示す。横断面長方形状のスイッチケース３の中央下方部には案内孔４が形成され、この案内孔４にはコイルバネからなる復帰バネ５が挿入されている。
【００１８】
また、スイッチケース３の中央部には、プランジャ６が摺動自在に収納されている。このプランジャ６は、図３に拡大して示すように、プランジャ本体６ａと、後述する挿入部６ｂとから形成されている。プランジャ本体６ａの上端部は、スイッチケース３の頂壁７に形成された第１開口部８から外方へ突出している。
【００１９】
一方、プランジャ本体６ａの下端面の中央部からは、円柱形状の挿入部６ｂが垂下されており、この挿入部６ｂは復帰バネ５に挿入されている。この復帰バネ５により、プランジャ６には押し下げ力に抗する付勢力が付与されている。
【００２０】
また、プランジャ本体６ａの中央部には、外向きフランジ６ｃが付設されており、また、プランジャ本体６ａの前後（図面に対し直交する方向を前後方向とする。以下、同様とする。）両側面下端には、張出板６ｄが付設されていると共に、外向きフランジ６ｃと張出板６ｄとの間には、突条６ｅが縦設されている。
【００２１】
外向きフランジ６ｃは、第１開口部８の外周下面から垂下された案内筒１０内に摺動自在に嵌合されており、外向きフランジ６ｃが、案内筒１０の頂板１１に下方から接触することでプランジャ６の上昇が規制されるようになっている。
【００２２】
プランジャ本体６ａの左右（図面において左右。以下、同様とする。）両面には可動片１２が突設されていて、これら可動片１２、１２の先端部には可動接点部１３ａが固定されている。
【００２３】
プランジャ６用の第１開口部8の両側、すなわち、スイッチケース３の頂壁の左右両部に第２の開口部8ａ、8ａを形成すると共に、スイッチケース３の左右両端部の前後両壁間に、軸１４、１４を架設して、これらの軸１４、１４のそれぞれに、受圧部材１５、１５を揺動自在に軸支させている。
【００２４】
受圧部材１５、１５は、図２に明示するように、第２開口部8ａ、8ａに遊嵌された平板１５ａ、１５ａの前後両側から垂下板１５ｂ、１５ｂを垂設して、これら垂下板１５ｂ、１５ｂの外端部を軸１４、１４に揺動自在に軸支させている。
【００２５】
平板１５ａ、１５ａの上面には、箱型の受圧部１６、１６が形成されており、これら受圧部１６、１６の上面を形成する受圧面１７、１７は、プランジャ６側を上方とする傾斜面に形成されている。
【００２６】
また、受圧部１６、１６のプランジャ６寄りの面には、ストッパ板１8、１8が付設されていて、その下端は、受圧部材１５、１５の押下げ時にスイッチケース３の頂壁７に当接可能になっている。
【００２７】
スイッチケース３の上部における左右両内側面には、弾性変形自在な弾性片１９、１９が起立状態で固定されている。これら弾性片１９、１９の上端部はプランジャ６方向に湾曲状に折曲されていて、これら折曲部１９ａ、１９ａの先端部は、受圧部材１５、１５の両垂下板１５ｂ、１５ｂの下端部間に嵌着され、かつ、その先端部には、可動接点部１３ａに対して接触可能な固定接点部１３ｂが取り付けられている。
【００２８】
スイッチケース３の下部の左右両部には、スイッチケース３に形成された挿入孔２０、２０を介して差し込まれる図示しない出力端子をクランプするためのクランプバネ２１、２１が設けられている。これらクランプバネ２１、２１を保持するクランプ台２２、２２には、弾性片１９、１９の下端部が導通可能に接続されている。
【００２９】
操作部ケース４０をスイッチケース３に装着するには、図４に示すように、まず、スイッチマウント３０をスイッチケース３に取り付ける。スイッチマウント３０は、中央部が開口された天板３０ａの左右両側から取付脚３０ｂを垂下し、かつ、図５に明示するように、この取付脚３０ｂの外面に嵌合溝３０ｃを縦設している。この嵌合溝３０ｃは、スイッチケース３の左右両側面に形成された嵌合突部２３に係合可能になっている。
【００３０】
スイッチマウント３０をスイッチケース３に取り付けるには、取付脚３０ｂをスイッチケース３の左右両側面に嵌合させつつ、嵌合溝３０ｃを嵌合突部２３に係合させればよい。
【００３１】
図４に示すように、スイッチマウント３０は、スイッチケース３に装着された状態において、受圧部材１５、１５と干渉することがなく、従って、装着により受圧部材１５、１５を押し下げることがない。
【００３２】
操作部ケース４０は、図１および図５からわかるように、円筒形状の筒体からなり、この筒体の下端部は下向き段部を介して小外径部４０ａに形成され、かつ、この小外径部４０ａはスイッチマウント３０の天板３０ａの開口部を挿通可能に形成されている。
【００３３】
小外径部４０ａを天板３０ａの開口部に挿通させると、図１に示すように、小外径部４０ａの下端は受圧部材１５、１５の受圧部１６、１６に接触して、受圧部材１５、１５を押し下げる。
【００３４】
すると、弾性片１９、１９を介して受圧部材１５、１５に取り付けられた固定接点部１３ｂが下降して可動接点部１３ａに接触して、スイッチをオンにする。
【００３５】
操作部ケース４０の上部には、有頂円筒体からなる押しボタン４１が上下動自在に嵌合されていると共に、操作部ケース４０内には、図７および図8に明示するように、プランジャ６を押圧可能な押圧部材４０ｂが上下動自在に収納されている。この押圧部材４０ｂは押しボタン４１の押し下げで下降してプランジャ６を押下げ可能に形成されている。
【００３６】
スイッチマウント３０の天板３０ａの側面には、図５に明示するように、横孔３０ｄが形成されており、この横孔３０ｄには、固定板３１が摺動自在に差し込まれている。差込み状態において、固定板３１の先端部は、操作部ケース４０の小外径部４０ａに係合して、操作部ケース４０の抜け出し防止を図っている。
【００３７】
なお、上記ではスイッチケース３が１つの場合について説明をしたが、これに限らず、図５に示すように、スイッチケース３を前後方向に複数並べた状態で、これらスイッチケース３と同数の嵌合溝３０ｃを有するスイッチマウント３０を取り付け、このスイッチマウント３０を介して操作部ケース４０を装着させることも可能である。このようにスイッチケース３を複数並設することにより、多接点化が図れ、スイッチに冗長性を持たせることができる。
【００３８】
次に作用について説明する。
【００３９】
図６に示すように、スイッチケース３に操作部ケース４０を装着した状態では、受圧部材１５、１５は下方に押し下げられ、固定接点部１３ｂは可動接点部１３ａに接触してスイッチオンの状態にある。一方、プランジャ６は上昇位置にあって、その先端部は受圧部材１５、１５よりも上方に位置している。
【００４０】
いま、図６のスイッチオン状態からスイッチオフにするには、図７に示すように、押しボタン４１を押し込めばよい。すると、同図および図８に示すように、押圧部材４０ｂが下降して、プランジャ６を復帰バネ５の付勢力に抗して押し下げるため、可動接点部１３ａが下降して固定接点部１３ｂから離間し、スイッチオフの状態になる。
【００４１】
上記では、通常時においてスイッチをオフにする動作について説明したが、ここでは操作部ケース４０の故障で、操作部ケース４０がスイッチケース３から脱落したり、あるいは、スイッチ交換のため、操作部ケース４０をスイッチケース３から取り外した場合について説明する。
【００４２】
図６に示すスイッチオンの状態から、操作部ケース４０が、上記原因によりスイッチケース３から離脱すると、操作部ケース４０が押圧部材１５、１５から離間する。
【００４３】
すると、図３に示すように、受圧部材１５、１５が弾性片１９、１９の付勢力により上昇するため、固定接点部１３ｂが可動接点部１３ａから上方へ離間して、スイッチオフとなる。
【００４４】
なお、上記では弾性片１９、１９のバネ力により受圧部材１５、１５に付勢力を与えているが、これに限らず、ねじりバネを受圧部材１５、１５に取り付けることによっても受圧部材１５、１５に付勢力を付与することが可能である。
【００４５】
【発明の効果】
本発明は、固定接点部と可動接点部とから構成する接点ユニットを収納するスイッチケースと、前記両接点部の開閉操作を行う操作部を有して前記スイッチケースに着脱自在に装着される操作部ケースと、前記スイッチケースに、前記操作部ケースを装着した際に付勢力が付与されるように取り付けられる受圧部材とを有して構成し、前記受圧部材には、前記固定接点部が前記操作部ケースを前記スイッチケースに装着した際に前記可動接点に接触できるように連結されており、前記スイッチケースから前記操作部ケースが離脱した際に、前記受圧部材の付勢力によって前記固定接点を前記可動接点部から開離するように構成したので、故障により操作部ケースがスイッチケースから脱落したり、あるいは、スイッチ交換の際に、操作部ケースがスイッチケースから取り外されたりして、操作部ケースがスイッチケースから離脱した場合には、常に、受圧部材が固定接点部を可動接点部から離間させる方向に変位してスイッチをオフさせるため、作業者等の安全を確保することができる。
【図面の簡単な説明】
【図１】本発明に係る安全スイッチの一部を断面にした全体図である。
【図２】同じく、スイッチケースの斜視図である。
【図３】同じく、スイッチケースの縦断面図である。
【図４】同じく、スイッチケースにスイッチマウントを装着した状態を示す縦断面図である。
【図５】同じく、スイッチケースを複数並設した一部切り欠き斜視図である。
【図６】同じく、スイッチケースに操作部ケースを装着したスイッチオン時の略示図である。
【図７】同じく、プランジャを押し込んだスイッチオフの状態を示す一部切り欠き全体図である。
【図８】同じく、プランジャを押し込んだスイッチオフの状態を示す略示図である。
【符号の説明】
１    安全スイッチ
２    接点
３    スイッチケース
４    案内孔
５    復帰バネ
６    プランジャ
１３ａ  可動接点部
１３ｂ  固定接点部
１５    受圧部材
１６    受圧部
１７    受圧面
１９    弾性片
３０    スイッチマウント
４０    操作部ケース
４１    押しボタン
【図１】
0004085687.tif 000002
【図２】
0004085687.tif 000003
【図３】
0004085687.tif 000004
【図４】
0004085687.tif 000005
【図５】
0004085687.tif 000006
【図６】
0004085687.tif 000007
【図７】
0004085687.tif 000008
【図８】
0004085687.tif 000009